(57)【要約】【課題】吊りワイヤーをいずれの方向に偏向させても安全かつ確実に吊り上げることができ、また、エスカレーターのような重量物を安全かつ能率的に吊り上げ、あるいは設置することができるエスカレーターの設置工法を提供する。【解決手段】エスカレーターを吊りワイヤーにより吊り上げて所定の位置に設置する工法において、エスカレーターの上端部の下側に吊り上げ補助フレームを延出させて取り付け、該フレームの先端部にワイヤーを連結することを特徴とする。【選択図】        図２
2010100436.tif 000002
【特許請求の範囲】
【請求項１】
エスカレーターを吊りワイヤーにより吊り上げて所定の位置に設置する工法において、エスカレーターの上端部の下側に吊り上げ補助フレームを延出させて取り付け、該フレームの先端部にワイヤーを連結することを特徴とするエスカレーターの設置工法。
【請求項２】
エスカレーターの少なくとも上端部側を吊りワイヤーにより吊り上げて所定の位置に設置する工法において、上記エスカレーターの下端部付近を傾動台車により支持せしめ、該傾動台車を車輪を有する台車本体と、該台車本体上に傾動自在に枢着された傾動部材と、該傾動部材上に設けられた受フレームから構成したことを特徴とするエスカレーターの設置工法。
【請求項３】
上記エスカレーターの上側パーツと下側パーツをヒンジ部により折り曲げ自在に連結することを特徴とする請求項１または２に記載のエスカレーターの設置工法。
【請求項４】
エスカレーターを吊りワイヤーにより吊り上げて所定の位置に設置する工法において、エスカレーターの上部を設置する上階床や、下部を収容するピットを設置する下階床の一部撤去工事のために防護ステージを床に吊り込んだり、取り付けることを特徴とするエスカレーターの設置工法。
【発明の詳細な説明】
【技術分野】
【０００１】
本発明は、エスカレーターの設置工法に関するものである。
【背景技術】
【０００２】
従来のエスカレーターの設置工法としては、建物の最上階の天井に滑車を取り付け、これに掛けた吊りワイヤーの下端をエスカレーターの両端部に連結して、所定位置に吊り上げる工法があった。（例えば、特許文献１参照）
【０００３】
しかし、上記従来の工法は、滑車を天井に取り付けるため、エスカレーターのような重いものを吊り上げるには、滑車の取付け強度を強くしなければならず、取付工事が大規模になるだけでなく、滑車ではワイヤーの偏向に対して自由度がなく、また、引っ張り側のワイヤーが邪魔になる等の問題点があった。
【先行技術文献】
【特許文献】
【０００４】
【特許文献１】特開平９−２７６７号公報
【発明の概要】
【発明が解決しようとする課題】
【０００５】
本発明が解決しようとする課題は、吊りワイヤーをいずれの方向に偏向させても安全かつ確実に吊り上げることができ、また、エスカレーターのような重量物を安全かつ能率的に吊り上げ、あるいは設置することができるエスカレーターの設置工法を提供することにある。
【課題を解決するための手段】
【０００６】
本発明は、エスカレーターを吊りワイヤーにより吊り上げて所定の位置に設置する工法において、エスカレーターの上端部の下側に吊り上げ補助フレームを延出させて取り付け、該フレームの先端部にワイヤーを連結することを特徴とする。また、エスカレーターの少なくとも上端部側を吊りワイヤーにより吊り上げて所定の位置に設置する工法において、上記エスカレーターの下端部付近を傾動台車により支持せしめ、該傾動台車を車輪を有する台車本体と、該台車本体上に傾動自在に枢着された傾動部材と、該傾動部材上に設けられた受フレームから構成したことを特徴とする。さらに、上記エスカレーターの上側パーツと下側パーツをヒンジ部により折り曲げ自在に連結することを特徴とする。またさらに、エスカレーターを吊りワイヤーにより吊り上げて所定の位置に設置する工法において、エスカレーターの上部を設置する上階床や、下部を収容するピットを設置する下階床の一部撤去工事のために防護ステージを床に吊り込んだり、取り付けることを特徴とする。
【発明の効果】
【０００７】
本発明のエスカレーターの設置工法は、吊りワイヤーをいずれの方向に偏向させても安全かつ確実に吊り上げることができ、また、エスカレーターのような重量物を安全かつ能率的に吊り上げ、あるいは設置することができるという利点がある。
【図面の簡単な説明】
【０００８】
【図１】本発明の一実施例の工法説明図である。
【図２】図１に続く工法説明図である。
【図３】ワイヤーガイド管の第１の実施例の説明図（Ａ）、第２の実施例の説明図（Ｂ）である。
【図４】図２に続く工法説明図である。
【図５】図４に続く工法説明図である。
【図６】図５に続く工法説明図である。
【図７】傾動台車の構成説明図である。
【図８】傾動台車による作用説明図である。
【図９】別の実施例を示す工法説明図である。
【発明を実施するための形態】
【０００９】
図１〜図７は、本発明工法の説明図であって、Ｆ１は１階床、Ｆ２は２階床、Ｆ３は３階床、ＦＢは地下階床、Ｃ１は１階天井線、Ｃ２は２階天井線である。本実施例の建物は、例えばホテルのエントランスホールロビーのように、２階床Ｆ２および１階天井線Ｃ１の一部を取り除いた吹き抜けとなっていて、１階から２階への昇降用の既存エスカレーターＥが既に設置されている。本実施例の設置工法は、この既存エスカレーターＥに新たなエスカレーターを増設すると共に、２階から３階にエスカレーターを新設するものである。
【００１０】
図１は、主として工事の準備段階の説明図であって、まず、３階床Ｆ３のエスカレーター設置個所Ｆ３−１（破線部分）の下側に作業用構台１を吊り上げる。吊り上げ作業は、３階床Ｆ３上の所定位置にキャスター付き吊り架台２を左右に２台ずつ設置し、各吊り架台２から３階床Ｆ３を貫いて４本の吊りワイヤー３を下ろし、その下端部を上記作業用構台１の左右各コーナー部（４個所）に連結する。図１では吊り上げ完了時の状態を示しているが、１階床Ｆ１上に置いた作業用構台１を吊り上げる。
【００１１】
４は、１階床Ｆ１に形成されたピット（くぼみ）であって、上記既設エスカレーターＥのピットに隣接して設けられる。４ａも作業用構台である。該ピット４と１階床Ｆ１の上にはレール５が敷設される。６は新設エスカレーターであって、上側パーツ６ａと下側パーツ６ｂに分離された状態で、上記レール５に案内されながら搬入される。
【００１２】
図２に示すように、所定の吊り上げ位置に搬入された上側パーツ６ａと下側パーツ６ｂは、ピン等から成るヒンジ部７により折り曲げ自在に連結される。該ヒンジ部７は、ワイヤー８を介して、Ｈ型鋼などから成る吊上げ支持部材９により吊り上げ支持される。該吊上げ支持部材９は、開口部の両側の３階床Ｆ３に架設されている。また、吊上げ支持部材９にはワイヤー巻き上げ用のウインチ（図示せず）を設ける。
【００１３】
上側パーツ６ａの外端部６ａ−１の下側には吊上げ補助フレーム１０を取り付ける。該吊上げ補助フレーム１０は上側パーツ６ａの外端部６ａ−１の下側から稍斜め下方に延出していて、その先端部にワイヤー８が取り付けられる。該ワイヤー８は、３階床Ｆ３に貫設されたワイヤーガイド管１２を貫通して、３階床Ｆ３上に設置されたキャスター付き吊り架台１１により吊り上げられる。また、下側パーツ６ｂの外端部６ｂ−１の下側にも吊上げ補助フレーム１０が設けられていて、ワイヤー８が連結される。該ワイヤー８は、２階床Ｆ２に貫設されたワイヤーガイド管１２を貫通して、２階床Ｆ２上に設置されたキャスター付き吊り架台１１により吊り上げられる。
【００１４】
図３（Ａ）は、上記ワイヤーガイド管１２の一実施例を示すもので、管体１２ａと第１ガイドローラ１２ｂと第２ガイドローラ１２ｃから構成される。第１ガイドローラ１２ｂと第２ガイドローラ１２ｃは、上下に間隔を保つと共に、相互に直交する。図３（Ｂ）は、上記ワイヤーガイド管の別の実施例を示すもので、管体１２ａの内側に、中間部が内方に膨らんだラッパ状ガード１２ｄを設ける。これらのワイヤーガイド管１２の構成により、その下方のワイヤー８が、いずれの方向に偏向しても、上方のワイヤー８は常に同じ位置と方向を保つことができ、ウインチ（図示せず）でワイヤー８を安定かつ確実に巻き上げ下ろしをすることができる。また、上記ワイヤーガイド管１２により、エスカレーター吊り上げ時のワイヤーの偏向に伴う水平力を負担することができるので、吊り架台１１は鉛直力のみの負担となり、軽微な架台構造で済む。
【００１５】
図４は、新設エスカレーター６の吊り上げ途中を示すもので、中央部を下げた状態で折り曲げて、全体の長さをやや短くした状態で吊り上げ、上側パーツ６ａの外端部６ａ−１を３階床３Ｆの所定設置個所に近づけると共に、下側パーツ６ｂの外端部６ｂ−１を２階床の所定設置個所に近づける。
【００１６】
次に、図５に示すように、中間のヒンジ部７を吊り上げながら、新設エスカレーター６の上下のパーツ６ａ、６ｂを折り曲がった仮想線状態から直線状の実線状態（組み付け完了状態）にする。最終的に、新設エスカレーター６の各端部６ａ−１、６ｂ−１を床（建物躯体）に取り付け固定する。
【００１７】
新設エスカレーター６の取り付け工事が完了すると、続いて、図６に示すように、１階と２階間の増設エスカレーター１３の設置工事を行う。先ず、上記新設エスカレーター６の場合と同様に、パーツの状態で現場に搬入する。本増設エスカレーター１３のパーツは直ちに組み付けられて、上端部１３ａと下端部１３ｂにそれぞれワイヤー８を連結し、上記キャスター付き吊り架台１１により吊り込む。特に、下端部１３ｂを吊り上げて、その下に傾動台車１４を入れる。なお、上記増設エスカレーター１３の上端部１３ａの下側から稍斜め下方に吊り上げ補助フレーム１０が延出していて、その先端に上記ワイヤー８が連結されている。
【００１８】
上記傾動台車１４は、図７に示すように、車輪１４ａを有する台車本体１４ｂと、該台車本体１４ｂ上に傾動自在に枢着された傾動部材１４ｃと、該傾動部材１４ｃ上に設けられた受フレーム１４ｄから構成されている。従って、図８に示すように、本増設エスカレーター１３の下端部１３ｂを、上記傾動台車１４により支持させることにより、増設エスカレーター１３は、その長手方向（図６で左右方向）に移動できると共に、吊り込んだ上端部１３ａ（図６参照）を持ち上げることにより、仮想線状態から実線状態に傾動させることができる。
【００１９】
図９は別の実施例を示すもので、新設エスカレーター１５の上端部の下側に吊上げ補助フレーム１６を稍斜め下方に延出させた状態で取り付け、該吊上げ補助フレーム１６の先端部に吊りワイヤー８を連結し、該吊りワイヤー８をワイヤーガイド管１２に挿通させ、吊り架台１１により吊り上げる。
【符号の説明】
【００２０】
１      作業用構台
２      吊り架台
３      吊りワイヤー
４      ピット
４ａ    作業用構台
５        レール
６        新設エスカレーター
６ａ      上側パーツ
６ａ−１  外端部
６ｂ      下側パーツ
６ｂ−１  外端部
７        ヒンジ部
８        ワイヤー
９        吊上げ支持部材
１０      吊り上げ補助フレーム
１１      キャスター付き吊り架台
１２      ワイヤーガイド管
１２ａ    管体
１２ｂ    第１ガイドローラ
１２ｃ    第２ガイドローラ
１２ｄ    ラッパ状ガード
１３      増設エスカレーター
１３ａ    上端部
１３ｂ    下端部
１４      傾動台車
１４ａ    車輪
１４ｂ    台車本体
１４ｃ    傾動部材
１４ｄ    受フレーム
１５      新設エスカレーター
１５ａ    上端部
１５ｂ    下端部
１６      吊り上げ補助フレーム
【図１】
2010100436.tif 000003
【図２】
2010100436.tif 000004
【図３】
2010100436.tif 000005
【図４】
2010100436.tif 000006
【図５】
2010100436.tif 000007
【図６】
2010100436.tif 000008
【図７】
2010100436.tif 000009
【図８】
2010100436.tif 000010
【図９】
2010100436.tif 000011